(57)【特許請求の範囲】
【請求項１】
周方向に複数個に分割した保持器片からなり、各保持器片が玉を円周方向に一定間隔に保つポケットを有するセグメント型の旋回座用玉軸受用保持器において、前記各保持器片の各ポケット間に、ポケット開口側の端面と反対側の端面からポケット開口側に向かって各ポケットの底部をつなぐ仮想線を越えて切り欠かれた切欠部を形成するとともに、前記ポケット開口側の端面の隣合うポケット開口部間部分が回転軸に垂直な一平面内にあり、かつ、プラスチック射出成形により形成されてなることを特徴とする玉軸受用保持器。
【請求項２】
強化繊維が添加された材料からなる請求項１記載の玉軸受用保持器。
【請求項３】
カーボン繊維、ウィスカー繊維、セラミック繊維、及び、金属繊維からなる群より選ばれる少なくとも１種の強化繊維が添加された材料からなることを特徴とする請求項１又は２記載の玉軸受用保持器。
【発明の詳細な説明】
【０００１】
【発明の属する技術分野】
本発明は、玉軸受用保持器に関する。
【０００２】
【従来の技術】
旋回座用軸受は、ＣＴスキャナー回転ドーム支持用軸受等の医療機器、建設機械、鉄道車両等、大型の各種産業機械に用いられている。通常、このような旋回座用軸受を構成する玉軸用保持器は、径が大きくなるために、例えば、図４に示すような複数個のくし形のセグメント型保持器を円周方向に配置したものが、玉軸受用保持器として使用されている。
【０００３】
このようなくし形のセグメント型保持器としては、例えば、円周方向に複数個接続されてなる玉軸受用保持器を有する軸受に関する技術がある（特公平５−２２０８６号公報）。
【０００４】
玉軸受用保持器には、金属製のものとプラスチック製のものとがあり、コスト削減、軽量化等を図ることができるので、現在では、プラスチック製のものが汎用されている。
【０００５】
プラスチック製の玉軸受用保持器は、例えば、プラスチック射出成形等で作成されたくし形のセグメント型保持器が、はめ込み等により円周方向に複数個接続されてなるものである。
【０００６】
くし形のセグメント型保持器の形状は、一方の側端面が連続し、他方の爪部を有する開放側端が不連続であるので、セグメント部の端面側からプラスチック射出成形で作成する場合、金型に材料を注入した際に、注入された材料の流動方向や配向が、一方の端面と他方の端面との間で連続にならず、成形収縮が生じる。すなわち、強化繊維が添加されていない場合には、樹脂材料が三次元的に収縮するので、ポケットの開口側と反対側との形状差によって開口側にたおれが生ずる。また、強化繊維が添加されている場合には、開口側よりも反対側が成形収縮の際に抵抗となるように繊維が配向するので相対的に開口側にたおれが生ずる。
【０００７】
この成形収縮は、くし形の爪部にたおれを引き起こすので、このようなくし形のセグメント型保持器からなる玉軸受用保持器は、軸受にブレーキをかける等の問題を発生させる。
【０００８】
プラスチック射出成形により発生するこのようなくし形の爪部のたおれは、使用する材料、金型等を検討することによりある程度防ぐことができる。しかし、従来検討されている材料ではたおれを完全に防ぐことができず、また、例えば、図５に示す背ぬき加工を金型に加えて肉厚に変化をつける方法等ではその効果が全く見られなかった。図中、７は、背ぬきを表す。
【０００９】
従来金型の中央部に設けられていた材料の注入口を、図６に示すように側端部に設け、注入される材料の流動方向、配向等をコントロールして上述のたおれを防ぐ方法も検討されているが、わずかな効果が見られたものの、全面的な解決には至らなかった。
【００１０】
【発明が解決しようとする課題】
上記に鑑み、本発明は、プラスチック射出成形による爪部のたおれを有しないくし形のセグメント型保持器からなる玉軸受用保持器を提供することを目的とするものである。
【００１１】
【課題を解決するための手段】
この発明は、上記課題を解決するために、周方向に複数個に分割した保持器片からなり、各保持器片が玉を円周方向に一定間隔に保つポケットを有するセグメント型の玉軸受用保持器において、前記各保持器片の各ポケット間に、ポケット開口側の端面と反対側の端面からポケット開口側に向かって各ポケットの底部をつなぐ仮想線を越えて切り欠かれた切欠部を形成したことを特徴とする。
【００１２】
以下、本発明の玉軸受用保持器について、図面を参照して説明する。
図１は、本発明の玉軸受用保持器を構成するくし形のセグメント型保持器の一例の斜視図である。図中、１は、ポケットを表す。２は、切欠部を表す。３は、ポケット中心部を表す。４は、ポケット中心線を表す。５は、ポケットの底部をつなぐ仮想線（ポケット底線）を表す。
ポケット中心線４は、上記ポケット中心部３を結ぶ線である。
【００１３】
本発明の玉軸受用保持器は、上記各ポケット１間に、ポケット１開口側の端面と反対側の端面からポケット１開口側に向かってポケット底線５及びポケット中心線４を越えて切り欠かれた切欠部２が形成されるものである。
上記玉軸受用保持器は、上記切欠部２が形成されるものであるので、くし形のセグメント型保持器を成形するときに、金型に注入された材料の流動方向と配向とが、図２に示すように円周方向に直線的に連続せず、しかも両側端（ポケット開口側と反対側）の形状が近似しているので両側端の成形収縮に差が生じない。図中、点線は、上記材料の流動方向と配向とを表す。
【００１４】
上記切欠部２が、ポケット１開口側の端面と反対側の端面からポケット１開口側に向かってポケット底線５を越えずに形成されると、金型に注入された樹脂、充填繊維等の材料の流動方向と配向とが、図３に示すように、ポケット底線５とポケット１閉口側の端面との間に円周方向に直線的に連続するので、成形収縮差がポケット開口側と閉口側とに生じ、くし形の爪部にたおれが生じる。図中、点線は、上記材料の流動方向と配向とを表す。
【００１５】
上記玉軸受用保持器は、強化繊維が添加された材料からなるものであることが好ましい。上記強化繊維としては特に限定されず、例えば、ガラス繊維、カーボン繊維、ウィスカー繊維、セラミック繊維、金属繊維等一般にプラスチック材の強度を向上させる目的で充填されるもの等を挙げることができる。
【００１６】
【発明の実施の形態】
以下に実施例を掲げて本発明を更に詳細に説明するが、本発明はこれら実施例のみに限定されるものではない。
【００１７】
図１に示した形状を有する金型を作成し、材料の注入口をセグメント部の端部に設けて材料を注入してプラスチック射出成形を行ったところ、くし型のセグメント型保持器の一方の端面と他方の端面との間を材料が連続に流れ、円周方向に片側の側端面に直線的にプラスチックが配向せず、そのため、両側端の成形収縮差が生じないので、くし形の爪部にたおれは生じなかった。
【００１８】
このくし形のセグメント型保持器を図７に示すようなはめ込みにより円周方向に複数個接続して玉軸受用保持器が作成される。
【００１９】
図４に示した従来のくし形のセグメント型保持器をプラスチック射出成形により作成したところ、これらは、大きな変形を有していたので、円周方向に複数個接続した際、玉軸受用保持器にたおれが生じた。
【００２０】
たおれが生じた玉軸受用保持器を軸受に組み込んだところ、玉軸受用保持器の外径が、外輪内周面に接触し、同時に玉軸受用保持器の内径が、内輪外周面に接触して、起動トルクが約３倍になった。
【００２１】
上述のたおれを防ぐために、強化繊維なし６，６ナイロン、強化繊維入り６，６ナイロン等を材料として使用したが、たおれは止まらなかった。
また、材料の注入口を、図６に示すように側端部に複数個設けた金型を用いてプラスチック射出成形を行ったが、たおれは、２０〜３０％減少しただけであった。
【００２２】
【発明の効果】
本発明の玉軸受用保持器は上述の構成からなるので、金型に注入される材料の流動方向や配向が、円周方向に直線的に連続せず、くし形の爪部にたおれが生じず、例えば、旋回座用軸受等の大型の軸受を構成する玉軸受用保持器に好適である。
【図面の簡単な説明】
【図１】本発明の玉軸受用保持器を構成するくし形のセグメント型保持器の一例の斜視図。
【図２】本発明の玉軸受用保持器を構成するくし形のセグメント型保持器の金型に注入された材料の流動方向と配向とを示す図。
【図３】従来のくし形のセグメント型保持器の金型に注入された材料の流動方向と配向とを示す図。
【図４】従来のくし形のセグメント型保持器の一例の斜視図。
【図５】従来のくし形のセグメント型保持器の金型に加えられた背ぬき加工の一例を示す図。
【図６】材料の注入口が側端部に設けられた従来のくし形のセグメント型保持器の一例を示す図。
【図７】実施例のはめ込みによる接続方式を示す図。
【符号の説明】
１  ポケット
２  切欠部
３  ポケット中心部
４  ポケット中心線
５  ポケット底線
６  注入口
７  背ぬき
【図１】
0003547223.tif 000002
【図２】
0003547223.tif 000003
【図３】
0003547223.tif 000004
【図４】
0003547223.tif 000005
【図５】
0003547223.tif 000006
【図６】
0003547223.tif 000007
【図７】
0003547223.tif 000008